(57)【要約】【課題】睡眠補助システム及び睡眠補助方法を開示する。【解決手段】睡眠補助システムは、複数の所定の周波数帯域を含む脳波信号を捕捉する捕捉モジュールと、複数の所定の周波数帯域のそれぞれに対応する指数を取得するために脳波信号を分析して、複数の所定の周波数帯域のそれぞれに対応する指数に基づいて不眠度パラメータを算出する処理モジュールと、不眠度パラメータに対応するパラメータ信号を伝送する伝送モジュールと、を含む睡眠補助装置と、伝送モジュールから前記パラメータ信号を受信するサーバーと、サーバーから伝送されるフィードバック信号に基づいて音を出力する出力装置とを備え、サーバーは、睡眠補助システムの使用情報を含む比較データを保存し、パラメータ信号と比較データとの比較に基づいて、出力中の音を他の音に切り替える命令を含むフィードバック信号を出力装置に伝送する。【選択図】図１Ａ
2015126869.tif 000002
【特許請求の範囲】
【請求項１】
複数の所定の周波数帯域を含む脳波信号を捕捉するため捕捉モジュールと、前記複数の所定の周波数帯域のそれぞれに対応する指数を取得するために前記脳波信号を分析して、前記複数の所定の周波数帯域のそれぞれに対応する指数に基づいて不眠度パラメータを算出するための処理モジュールと、前記不眠度パラメータに対応するパラメータ信号を伝送するための伝送モジュールと、を含む睡眠補助装置と、
前記伝送モジュールから前記パラメータ信号を受信するためのサーバーと、
前記サーバーから伝送されるフィードバック信号に基づいて音を出力する出力装置と、
を備える睡眠補助システムであって、
前記サーバーは、前記睡眠補助システムの使用情報を含む比較データを保存し、前記パラメータ信号と前記比較データとの比較に基づいて、出力中の音を他の音に切り替える命令を含む前記フィードバック信号を前記出力装置に伝送する睡眠補助システム。
【請求項２】
複数の所定の周波数帯域を含む脳波信号を捕捉するための捕捉モジュールと、前記複数の所定の周波数帯域のそれぞれに対応する指数を取得するために前記脳波信号を分析して、前記複数の所定の周波数帯域のそれぞれに対応する指数に基づいて不眠度パラメータを算出する処理モジュールと、前記不眠度パラメータに対応するパラメータ信号をサーバーに伝送する伝送モジュールと、を含む睡眠補助装置と、
音を出力するための電子装置と、
を備え、
前記電子装置は、現在出力中の音の情報を前記サーバーに伝送し、前記サーバーからフィードバック信号を受信して、前記フィードバック信号に基づいて前記現在出力中の音を切り替える睡眠補助システム。
【請求項３】
複数の所定の周波数帯域を含む脳波信号を捕捉するための捕捉モジュールと、前記複数の所定の周波数帯域のそれぞれに対応する指数を取得するために前記脳波信号を分析し、前記複数の所定の周波数帯域のそれぞれに対応する指数に基づいて不眠度パラメータを算出する処理モジュールと、前記不眠度パラメータに対応するパラメータ信号を伝送する伝送モジュールと、を含む睡眠補助装置と、
前記伝送モジュールから前記パラメータ信号を受信するためのサーバーと、
を備え、
前記サーバーは、前記パラメータ信号に基づいて前記脳波信号の状態を判断し、前記脳波信号が睡眠状態になると判断する場合、ディスプレイ装置をオフにする命令を含むフィードバック信号を生じる睡眠補助システム。
【請求項４】
脳波信号を捕捉する工程と、
前記脳波信号を分析して、複数の所定の周波数帯域における各々の指数を取得する工程と、
前記所定の周波数帯域における各々の指数に基づいて不眠度パラメータを算出する工程と、
前記不眠度パラメータに対応するパラメータ信号を伝送し、前記パラメータ信号と使用情報を含む比較データとの比較をして、前記脳波信号の前記不眠度パラメータが変化したかどうかを判断する工程と、
比較結果に基づいて、出力中の音を切り替える命令を含む、対応するフィードバック信号を生じる工程と、
を含む方法を睡眠補助システムに実行させる睡眠補助方法。
【発明の詳細な説明】
【技術分野】
【０００１】
本発明は、睡眠補助システム及び睡眠補助方法に関し、特に、快適な睡眠環境を作る睡眠補助システム及び睡眠補助方法に関する。
【背景技術】
【０００２】
睡眠品質は、人にとって重要なことである。一般的には、人は、快適で熟知の状態で眠りにつき易い。
【発明の概要】
【発明が解決しようとする課題】
【０００３】
しかしながら、人は、入眠直前となる場合、見ているテレビ画面の輝度が明るすぎたり、聞いた音楽の音が大きすぎることで、起こされてしまうことがよくある。あるいは、使用者の聞いた音楽は、順調に入眠するように寄与することができない。従って、人は、入眠しようとする感じがなくなり、更に不眠の問題を引き起こすことが常にある。
【０００４】
そのために、人が眠りたい場合に順調に入眠できるような快適な睡眠環境を如何に作るかは、依然として業界で努力すべき目標である。
【課題を解決するための手段】
【０００５】
本発明の一態様は、睡眠補助システムである。本発明の一実施例によると、複数の所定の周波数帯域を含む脳波信号を捕捉するための捕捉モジュールと、前記複数の所定の周波数帯域のそれぞれに対応する指数を取得するために前記脳波信号を分析して、前記複数の所定の周波数帯域のそれぞれに対応する指数に基づいて不眠度パラメータを算出するための処理モジュールと、前記不眠度パラメータに対応するパラメータ信号を伝送するための伝送モジュールと、を含む睡眠補助装置と、前記伝送モジュールから前記パラメータ信号を受信するためのサーバーと、前記サーバーから伝送されるフィードバック信号に基づいて音を出力する出力装置と、を備える睡眠補助システムであって、前記サーバーは、前記睡眠補助システムの使用情報を含む比較データを保存し、前記パラメータ信号と前記比較データとの比較に基づいて、出力中の音を他の音に切り替える命令を含む前記フィードバック信号を前記出力装置に伝送する。
【０００６】
本発明の別の態様は、睡眠補助システムである。本発明の一実施例によると、前記睡眠補助システムは、複数の所定の周波数帯域を含む脳波信号を捕捉するための捕捉モジュールと、前記複数の所定の周波数帯域のそれぞれに対応する指数を取得するために前記脳波信号を分析して、前記複数の所定の周波数帯域のそれぞれに対応する指数に基づいて不眠度パラメータを算出するための処理モジュールと、前記不眠度パラメータに対応する一パラメータ信号をサーバーに伝送するための伝送モジュールと、を含む睡眠補助装置と、音を出力するための電子装置と、を備え、前記電子装置は、現在出力中の音の情報を前記サーバーに伝送し、前記サーバーからフィードバック信号を受信して、前記フィードバック信号に基づいて前記現在出力中の音を切り替える。
【０００７】
本発明の別の態様は、睡眠補助システムである。本発明の一実施例によると、前記睡眠補助システムは、複数の所定の周波数帯域を含む脳波信号を捕捉するための捕捉モジュールと、前記複数の所定の周波数帯域のそれぞれに対応する指数を取得するために前記脳波信号を分析して、前記複数の所定の周波数帯域のそれぞれに対応する指数に基づいて不眠度パラメータを算出するための処理モジュールと、前記不眠度パラメータに対応するパラメータ信号を伝送するための伝送モジュールと、を含む睡眠補助装置と、前記伝送モジュールから前記パラメータ信号を受信するためのサーバーと、を備え、前記サーバーは、前記パラメータ信号に基づいて前記脳波信号の状態を判断し、前記脳波信号が睡眠状態になると判断する場合、ディスプレイ装置をオフにする命令を含むフィードバック信号を生じる。
【０００８】
本発明の別の態様は、睡眠補助方法である。本発明の一実施例によると、睡眠補助方法は、脳波信号を捕捉する工程と、前記脳波信号を分析して、複数の所定の周波数帯域における各々の指数を取得する工程と、前記所定の周波数帯域における各々の指数に基づいて不眠度パラメータを算出する工程と、前記不眠度パラメータに対応するパラメータ信号を伝送し、前記パラメータ信号と使用情報を含む比較データとの比較をして、前記脳波信号の前記不眠度パラメータが変化したかどうかを判断する工程と、比較結果に基づいて、出力中の音を切り替える命令を含む、対応するフィードバック信号を生じる工程と、を含む方法を睡眠補助システムに実行させる。
【発明の効果】
【０００９】
上記をまとめると、上記の実施例を適用することで、本発明の睡眠補助システム及びその睡眠補助方法は、使用者の脳波信号に基づいて、使用者の入眠に適している音楽を自動的に選択し、使用者の使用状況を即時に記録して、使用者が順調に入眠することに寄与することができる。また、本発明の睡眠補助システム及びその睡眠補助方法は、更に、使用者の周囲環境の電子装置を調整することができる。使用者が入眠する場合、使用者の脳波信号に基づいて、周囲環境の電子装置からの光源及び／又は音源を次第に少なくし、使用者がより順調に入眠できるようにすることができる。
【図面の簡単な説明】
【００１０】
本発明の上記目的、技術特徴及びメリットをより分かりやすくするために、好ましい実施例で添付図面に合わせて、以下のように詳しく説明する。
【００１１】
【図１Ａ】本発明の一実施例による睡眠補助システムを示す模式図である。
【図１Ｂ】本発明の一実施例による睡眠補助システムを示す模式図である。
【図１Ｃ】本発明の一実施例による睡眠補助システムを示す模式図である。
【図１Ｄ】本発明の一実施例による睡眠補助システムを示す模式図である。
【図２Ａ】本発明の一実施例による睡眠補助システムの取扱方法を示すフロー図である。
【図２Ｂ】本発明の一実施例による睡眠補助システムの操作を示す模式図である。
【図３】本発明の一実施例による睡眠補助システムの取扱方法を示すフロー図である。
【発明を実施するための形態】
【００１２】
本発明の内容は、以下の実施例によって説明できるが、本発明の実施例は、本発明が以下の実施例で述べられるような任意の所定の環境、応用又は方式でしか実施できないことを制限するためのものではない。従って、以下の実施例の説明は、単に本発明を説明するものであり、本発明を制限するためのものではない。以下の実施例及び図面において、本発明に直接に関わっていない素子については、図示を省略する。且つ、図面に示された各素子同士の寸法比は、単に把握されやすくするものであり、本発明の実際の実施比を制限するためのものではない。
【００１３】
本発明の一実施例は、睡眠補助システム１００であり、その模式図を図１Ａに示す。
【００１４】
本実施例において、睡眠補助システム１００は、睡眠補助装置１１０と、サーバー１２０と、を備える。睡眠補助装置１１０は、使用者の脳波信号１１２を検出し、使用者の不眠度パラメータを算出することに用いられる。サーバー１２０は、使用者の不眠度パラメータに対応するパラメータ信号１１４を受信し、パラメータ信号１１４と複数のパラメータデータとの比較をしてフィードバック信号１１６を電子装置１３０に伝送する。サーバー１２０は、電子装置１３０に使用者の入眠に適している音を出力させる。
【００１５】
図１Ａに示すように、睡眠補助装置１１０は、捕捉モジュール１１１と、処理モジュール１１３と、伝送モジュール１１５と、を含む。処理モジュール１１３は、捕捉モジュール１１１及び伝送モジュール１１５に電気的に連結されており、捕捉モジュール１１１からの信号を受信して受信した信号の処理を行う。処理モジュール１１３により処理された信号は、伝送モジュール１１５を介して出力される。
【００１６】
具体的には、睡眠補助装置１１０は、使用者に着用される場合、睡眠の邪魔にならない軟質又は弾性材料の材質のヘッドセット装置であってよい。睡眠補助装置１１０は、ヘッドセット装置のみに限定されず、検出接点を有する如何なる装置であってもよい。検出接点は、使用者の頭の皮膚に接続されており、信号を捕捉モジュール１１１に提供することができ、使用者の頭による生理信号を受動的に検出する。検出接点により検出された信号は、少なくとも、脳の位置に近い生理信号と脳の位置から離れた生理信号を含む。捕捉モジュール１１１は、検出接点により提供された生理信号に基づいて、ノイズ及び無関係の生理信号を除去して、複数の所定の周波数帯域を含む脳波信号１１２を捕捉する。
【００１７】
例としては、脳波信号は、脳から生じる電流活動の１つの形式であり、それぞれ、３〜７ヘルツ（Ｈｚ）の周波数帯域範囲にあるθ波、８〜１２ヘルツの周波数帯域範囲にあるα波、及び１８〜３０ヘルツの周波数帯域範囲にあるβ波を含む。つまり、捕捉モジュール１１１は、捕捉された脳波信号１１２の信号に対して増幅、正規化及びノイズ除去を行い、脳波信号１１２に含まれるα波、β波及びθ波等の所定の周波数帯域を取得する。
【００１８】
次に、処理モジュール１１３は、脳波信号１１２の複数の所定の周波数帯域における各々の指数を取得するために前記脳波信号１１２を分析して、更に、複数の所定の周波数帯域における各々の指数に基づいて不眠度パラメータを算出することに用いられる。
【００１９】
例としては、下記の表１を参照すると、表１は、本発明の一実施例による脳波信号の所定の周波数帯域を表示する指数表である。
【表１】
2015126869.tif 000003
【００２０】
表１に示す指数は、異なる使用者が異なる不眠度にある状態である。例としては、使用者Ａ〜使用者Ｅの何れも睡眠補助装置１１０を着用すれば、睡眠補助装置１１０の捕捉モジュール１１１は、使用者Ａ〜使用者Ｅの脳波信号１１２を即時に捕捉する。続いて、睡眠補助装置１１０の処理モジュール１１３は、使用者Ａ〜使用者Ｅの脳波信号１１２を分析し始め、α波、β波及びθ波等の所定の周波数帯域における対応する指数を別々に取得する。上記指数の範囲は、０〜１０ｘ、０〜１０ｙ及び０〜１０ｚにあり、ただし、ｘ、ｙ、ｚは、通常の係数である。これらの指数は、各周波数帯域の脳波信号を正規化して得られたものである。正規化された指数は、各使用者の各周波数帯域における脳波信号を推定することに用いられることができ、例えば、使用者Ａのθ波信号：α波信号：β波信号は、処理された後で約７：７：２となり、これらの指数を介して使用者の現在の不眠度パラメータを算出することができる。説明すべきなのは、上記指数は、単に例を挙げて説明するためのものであり、本発明を制限するためのものではなく、脳波信号に基づいて指数を生じることのできる技術であれば、何れも本発明で保護された範囲にある。
【００２１】
更に、表１を例にして、使用者Ｂの脳波信号１１２のθ波、α波及びβ波等の所定の周波数帯域における指数は、それぞれ５ｘ、６ｙ及び３ｚである。睡眠補助装置１１０の処理モジュール１１３は、捕捉されたθ波、α波及びβ波の指数に基づいて使用者Ｂの不眠度パラメータを算出する。
【表２】
2015126869.tif 000004
【００２２】
説明すべきなのは、上記の不眠度パラメータは、それぞれ使用者の不眠度を示すことができる。例としては、表２に示すように、パラメータ値０〜１５の分類１は、使用者が「入眠直前」の状態にあることを示し、パラメータ値１５〜２０の分類２は、使用者が「少し疲れを感じる」状態にあることを示し、パラメータ値２０〜３０の分類３は、使用者が「入眠直前に目が覚める」状態にあることを示し、パラメータ値３０〜６０の分類４は、使用者が「眠りたいのに眠れない」状態にあることを示し、パラメータ値６０〜１００の分類５は、使用者が「昼間のことをしきりに思い出す」状態にあることを示す。しかしながら、上記の脳波信号指数と不眠度パラメータは、単に例を挙げて説明するためのものであり、本発明を制限するためのものではない。
【００２３】
本実施例において、サーバー１２０は、複数の比較データを保存する。比較データは、以前記録された使用者の脳波の変化、及び脳波の変化に対応して出力された音等のデータを含み、更に、場所、時間又は他の使用者の身分の生理データを含んでもよい。睡眠補助装置１１０は、不眠度パラメータに対応するパラメータ信号１１４を、伝送モジュール１１５を介して無線伝送によってサーバー１２０に即時に伝送する。サーバー１２０は、更に、伝送モジュール１１５からパラメータ信号１１４を受信して、保存された比較データとパラメータ信号１１４との比較をして、また比較結果に基づいて、出力中の音を切り替え又は所定の音を出力するフィードバック信号１１６を生じるかどうかを決めることに用いられる。フィードバック信号１１６は、出力中の音を他の音に切り替える命令を含む。例えば、使用者の脳波状態が長時間睡眠状態にならず、延いてはよりはっきりした不眠度の分類へ変化する場合、サーバー１２０は、出力装置に出力中の音を変化させるように命令するフィードバック信号１１６を生じ、即ち、出力中の音を切り替える上記の命令は、所定の音を出力する命令である。又は、サーバー１２０は、使用者の脳波がある不眠度の分類となり、一定の期間にわたっても変化しないと判断する場合、履歴記録に基づいてこの状態でこの使用者に最も有効な睡眠補助音楽を選択し、出力装置が出力するように命令するフィードバック信号１１６を生じる。サーバー１２０は、使用者の現在の不眠度の分類、システムの当時の時間等の様々な条件に基づいて、使用者個人又はグループの履歴記録データを随時に比較して、最も睡眠補助効果のある所定の音を選択し、又は全ての出力可能な音の優先レベルを配列してから、優先レベルの高い音を選択して出力装置が出力するように命令するフィードバック信号１１６を生じてもよい。つまり、上記所定の音は、サーバー１２０が比較データとパラメータ信号１１４に基づいて決められる。
【００２４】
また、サーバー１２０は、フィードバック信号１１６を無線伝送によって電子装置１３０に即時に伝送して、電子装置１３０を制御して所定の音を出力させて使用者に聞かせる。サーバー１２０は、パラメータ信号１１４に基づいて、使用者が所定の音を聞いた時の不眠度パラメータを記録し、その不眠度パラメータの変化に基づいて後のフィードバック信号１１６を生じる。本発明の一実施例において、サーバー１２０内に、例えば出力リスト又は音ファイルリストのような、電子装置１３０が出力可能な音データが予め保存されており、サーバー１２０は、これらの音データに基づいて音を選択し、電子装置１３０を制御して所定の音を出力させるフィードバック信号１１６を生じる。本発明の別の実施例において、電子装置１３０内に出力リスト又は出力可能な音ファイルリストの音データが保存されており、サーバー１２０が電子装置１３０から出力可能な音の音データを取得し、この音データに基づいて、電子装置１３０に所定の音を出力させるように制御するフィードバック信号１１６を生じてもよい。本発明の別の実施例において、サーバー１２０は、電子装置１３０に出力音を切り替えるフィードバック信号１１６を直接に生じ、電子装置１３０が内部の音データに基づいて出力する音を順を追って出力し又は任意に切り替え、更に、サーバー１２０に新たに出力する音が何であるかを知らせる信号を生じてもよい。
【００２５】
つまり、本発明の睡眠補助システム１００は、学習能力を有するものであり、サーバー１２０に保存された比較データと使用者の不眠度パラメータとの比較をして、所定の音に対応するフィードバック信号１１６を電子装置１３０に伝送し、電子装置１３０に使用者に最も適している睡眠補助音楽を出力させて、使用者の睡眠に寄与する。説明すべきなのは、電子装置１３０は、例えば、ＭＰ３、クラクション、スマートハンドヘルド装置、コンビュータ又はテレビ等のような、音を出力する機能を持つ如何なる装置であってもよい。本発明の睡眠補助システム１００は、従来の電子装置１３０にインストールするためのアプリケーションプログラムを更に提供してもよい。アプリケーションプログラムは、使用者に操作させるための使用者インターフェースを提供してもよい。使用者は、アプリケーションプログラムによって即時的な脳波信号の情報、又はサーバー１２０から脳波と出力された音の履歴記録、及び各出力可能な音の睡眠補助効果の評価結果を取得することができる。また、使用者は、使用者インターフェースによって音の出力リストを設定し、又は出力可能な音の出力優先順位を調整することができる。
【００２６】
別の実施例において、図１Ｂに示すように、睡眠補助装置１１０は、電子装置１３０を更に含む。つまり、電子装置１３０は、睡眠補助装置１１０の内に内蔵される音を出力する出力モジュールであってよいが、これに限定されない。
【００２７】
また、サーバー１２０は、フィードバック信号１１６を電子装置１３０に伝送して、出力する音を選択ことができるだけでなく、更にフィードバック信号１１６によって電子装置１３０が出力する音の音量を制御することができる。
【００２８】
例としては、使用者が電子装置１３０から出力された所定の音を聞いて、次第に疲れを感じる場合、サーバー１２０は、受信したパラメータ信号１１４に基づいて、使用者が入眠状態になると判断する。続いて、サーバー１２０は、パラメータ信号１１４に基づいて、対応するフィードバック信号１１６を電子装置１３０に伝送する。電子装置１３０は、フィードバック信号１１６に対応して所定の音の音量を次第に小さくすることができる。使用者が完全に寝入った場合、対応するフィードバック信号１１６は、電子装置が所定の音の出力を停止し又は待機モードに入ることを可能にする。使用者の脳波のパラメータ信号１１４がより深い睡眠状態になっていないことを検出した場合、サーバー１２０は、電子装置１３０を制御して出力中の音を切り替えることができる。フィードバック信号１１６は、サーバー１２０がパラメータ信号１１４に基づいて生じたものであるため、サーバー１２０は、使用者の脳波状態に基づいて電子装置１３０を即時に制御して、使用者が入眠することに寄与する。また、使用者によって、出力された音で与えられる影響も変わるため、サーバー１２０は、異なる使用者のパラメータ信号１１４が異なる状態で異なる音による影響の程度を別々に記録するとともに、異なる使用者の脳波の即時的な状態に対して、電子装置１３０を制御して睡眠に最も寄与可能な音を出力させてもよい。
【００２９】
別の実施例において、図１Ｃに示すように、睡眠補助システム１００は、ディスプレイ装置１４０を更に備える。例としては、使用者が寝入る前にテレビ番組又は他のビデオを見ることに慣れるが、入眠前に表示装置をオフにすることを忘れる場合があり、本発明のサーバー１２０は、伝送モジュール１１５からパラメータ信号１１４を受信して、パラメータ信号１１４に基づいて使用者の脳波信号１１２の状態を判断することに用いられることができる。サーバー１２０は、使用者が睡眠状態になると判断する場合、パラメータ信号１１４に基づいてフィードバック信号１１６を生じ、フィードバック信号１１６をディスプレイ装置１４０に伝送して、ディスプレイ装置１４０の表示輝度を次第に低下させ、ビデオの出力を停止し又は待機モードに入るように即時に制御する。つまり、フィードバック信号１１６は、ディスプレイ装置１４０の輝度を制御する命令又はディスプレイ装置１４０をオフにする命令を含む。
【００３０】
別の実施例において、図１Ｄに示すように、睡眠補助システム１００は、スピーカー装置１５０を更に備える。例としては、スピーカー装置１５０は、音を出力するために用いられる。スピーカー装置１５０は、現在出力中の音の情報をサーバー１２０に伝送するとともに、サーバー１２０からフィードバック信号１１６を受信して、フィードバック信号１１６によって現在出力中の音を他の音に切り替える。つまり、サーバー１２０は、フィードバック信号１１６をスピーカー装置１５０に伝送して、スピーカー装置１５０が音量を次第に低下させ、音の出力を停止し又は待機モードに入るように即時に制御することに用いられる。フィードバック信号１１６は、音を出力する出力装置（例えば、スピーカー装置１５０）をオフにし、又は出力装置が出力する音音量を制御する命令を含む。
【００３１】
図２Ａを参照すると、図２Ａは、本発明の一実施例による睡眠補助システムの取扱方法２００を示すフロー図である。以下、取扱方法２００についての叙述によって、本案の具体的な細部を更に叙述する。この取扱方法２００は、上記各実施例に適用されることができるが、これらに限定されない。
【００３２】
まず、脳波信号１１２を捕捉する工程Ｓ２０１を実行する。例としては、図１Ａ及び図２Ｂを同時に参照すると、図２Ｂは、睡眠補助システムの操作模式図である。例としては、睡眠補助装置１１０は、着用可能な電子装置であってよい。使用者は、睡眠補助装置１１０を頭の位置に着用して、睡眠補助装置１１０における捕捉モジュール１１１が使用者の脳波信号１１２を捕捉するようにしてよい。
【００３３】
別の実施例において、工程Ｓ２０１は、脳波信号１１２の信号に対して増幅、ノイズ除去、正規化及び他の関連演算を行って、複数の所定の周波数帯域信号を取得する工程を更に含む。例としては、脳波信号は、脳から生じる電流活動の１つの形式であり、それぞれα波、β波及びθ波を含む。睡眠補助装置１１０における捕捉モジュール１１１は、捕捉された脳波信号１１２の信号に対して増幅及びノイズ除去を行い、脳波信号１１２に含まれるα波、β波及びθ波等の所定の周波数帯域信号を取得する。
【００３４】
続いて、複数の所定の周波数帯域における各々の指数を取得するために脳波信号１１２を分析する工程Ｓ２０３を実行する。
【００３５】
具体的には、睡眠補助装置１１０における処理モジュール１１３は、使用者の脳波信号１１２を分析し、α波、β波及びθ波等の所定の周波数帯域における各々の指数（例えば、上記の表１）を取得することに用いられる。
【００３６】
続いて、複数の所定の周波数帯域における各々の指数に基づいて不眠度パラメータを算出する工程Ｓ２０５を実行する。
【００３７】
例としては、上記の表１を参照すると、使用者Ｂを例にして、使用者Ｂの脳波信号１１２のθ波、α波及びβ波の指数は、それぞれ５ｘ、６ｙ及び３ｚであり、ｘ、ｙ、ｚは、通常の係数である。睡眠補助装置１１０の処理モジュール１１３は、θ波、α波及びβ波の指数に基づいて不眠度パラメータを算出し、使用者の現在の脳波状態がどの分類であるかを判断する。
【００３８】
その後、不眠度パラメータに対応するパラメータ信号１１４を伝送し、パラメータ信号１１４と比較データとの比較をして、脳波信号１１２の不眠度パラメータが変化したかどうかを判断する工程Ｓ２０７を実行する。
【００３９】
例としては、サーバー１２０は、複数の比較データを含む。睡眠補助装置１１０の処理モジュール１１３は、使用者の脳波信号１１２を捕捉し、使用者の不眠度パラメータに対応してパラメータ信号１１４を生じる。続いて、伝送モジュール１１５は、使用者の不眠度パラメータに対応するパラメータ信号１１４をサーバー１２０に伝送する。この場合、サーバー１２０は、伝送モジュール１１５からパラメータ信号１１４を受信して、パラメータ信号１１４と保存された複数の比較データとの比較をして、脳波信号１１２の不眠度パラメータが変化したかどうかを判断する。
【００４０】
その後、比較結果に基づいて、出力中の音を切り替える命令を含む、対応するフィードバック信号１１６を生じる工程Ｓ２０９を実行する。
【００４１】
具体的には、異なる音の各使用者に対する影響が全部同じではなく、各使用者の眠れない程度の状態も異なるため、パラメータ信号１１４を受信して、出力装置を制御するたびに、サーバー１２０は、異なる使用者のパラメータ信号１１４が異なる状態で異なる音を聞いて影響される程度を別々に記録することによって、使用者の習慣及び音の不眠状態に対する影響程度に基づいて、使用者に最も適している睡眠補助音楽を見つけ、対応するフィードバック信号１１６を電子装置１３０に伝送して、電子装置１３０がサーバー１２０が提案した睡眠補助音楽を出力することができる。つまり、サーバー１２０は、比較結果に基づいて、出力中の音を他の音に切り替える命令を含む対応するフィードバック信号１１６を生じる。本発明の一実施例において、サーバー１２０は、比較データとパラメータ信号１１４に基づいて所定の音を決め、対応するフィードバック信号１１６を生じる。フィードバック信号１１６は、出力中の音を上記所定の音に切り替える命令を含む。本発明の別の実施例において、サーバー１２０は、電子装置１３０に出力する音を切り替えらせるフィードバック信号１１６を直接に生じ、電子装置１３０が出力する音を順を追って出力し、又は任意に切り替え、更に、サーバー１２０に新たに出力する音が何であるかを知らせる信号を生じてもよい。
【００４２】
別の実施例において、取扱方法２００は、パラメータ信号１１４に基づいて不眠度パラメータ及び所定の音を記録する工程を更に備える。
【００４３】
例としては、使用者が睡眠補助装置１１０を用いる場合、サーバー１２０は、使用者の使用状況に基づいて、使用者の不眠度パラメータ及び聞いた所定の音を記録して、使用者が所定の音を聞く時に脳波状態の生じる変化を算出し、対応するフィードバック信号１１６を即時に生じる。使用者が一定の期間にわたって現在出力中の音を聞いたと検出するが、不眠度パラメータが依然として低下できず又は睡眠状態にならない場合、出力中の音を切り替えるフィードバック信号１１６を生じる。また、使用者が現在出力中の音を聞いたにもかかわらず、使用者の不眠度パラメータが眠れない方向へ変化して一定の幅を超えると、再度出力中の音を切り替えるフィードバック信号１１６を生じ、この時に聞いた音と不眠度パラメータの状態を記録する。その後、睡眠補助システムは、出力する音を選択する場合、これらの記録に基づいて、使用者が聞いた時に睡眠の補助にならない音を先に出力されないようにその優先レベルを低下させる。更には、使用者の脳波が異なる不眠度の分類となる場合、異なる音に対応して、好ましい睡眠補助効果を有することがある。本発明の睡眠補助システムは、使用者の聞いた音を記録しその脳波状態の変化を追跡するため、これらの記録に基づいて、使用者の脳波状態の分類によって、この場合最も有効な睡眠補助音を選択することができる。
【００４４】
理解すべきなのは、上記実施形態で言及した取扱方法の工程については、その順序を特に説明しない限り、何れも実際の需要に応じてその前後順序を調整することができ、延いては同時又は部分的に同時に実行されることができる。
【００４５】
別の実施例において、睡眠補助システム１００は、ディスプレイ装置１４０を更に備える。取扱方法２００は、フィードバック信号１１６をディスプレイ装置１４０に伝送して、フィードバック信号１１６に対応して、ディスプレイ装置１４０の表示光源を次第に少なくする工程を更に備える。
【００４６】
例としては、図１Ｃを参照すると、ディスプレイ装置１４０は、テレビであってよい。使用者が睡眠補助装置１１０を着用しテレビ映像を見る場合、睡眠補助装置１１０は、使用者の脳波状態を検出し、パラメータ信号１１４をサーバー１２０に伝送する。サーバー１２０は、前記パラメータ信号１１４に基づいてフィードバック信号１１６をテレビに伝送する。使用者が睡眠状態になろうとする場合、フィードバック信号１１６は、テレビを制御して表示輝度を次第に小さくする。使用者が寝入った場合、サーバー１２０は、パラメータ信号１１４に基づいてフィードバック信号１１６を伝送してテレビをオフにする。説明すべきなのは、ディスプレイ装置１４０は、ＭＰ３、スマートハンドヘルド装置、コンビュータ、テレビ又は画面表示機能を持つ如何なる装置であってもよい。
【００４７】
別の実施例において、睡眠補助システム１００は、スピーカー装置１５０を更に備える。取扱方法２００は、フィードバック信号１１６をスピーカー装置１５０に伝送して、スピーカー装置１５０の音量をフィードバック信号１１６に対応して次第に小さくする工程を更に備える。
【００４８】
例としては、図１Ｄを参照すると、スピーカー装置１５０をテレビとすることができる。使用者が睡眠補助装置１１０を着用しながらテレビの音楽を聞く場合、睡眠補助装置１１０は、使用者の脳波状態を検出し、パラメータ信号１１４をサーバー１２０に伝送する。サーバー１２０は、前記パラメータ信号１１４に基づいてフィードバック信号１１６をテレビに伝送する。使用者が睡眠状態になろうとする場合、フィードバック信号１１６は、テレビを制御し、テレビの音量を次第に小さくする。使用者Ｂが寝入った場合、サーバー１２０は、パラメータ信号１１４に基づいてテレビをオフにする。説明すべきなのは、スピーカー装置１５０は、ＭＰ３、スマートハンドヘルド装置、コンビュータ、テレビ、クラクション又は音を出力する機能を持つ如何なる装置であってもよい。
【００４９】
別の実施例において、図３を参照すると、図３は、本発明の一実施例による睡眠補助システムの取扱方法３００を示すフロー図である。取扱方法３００は、工程Ｓ２０１、Ｓ２０３、Ｓ２０５、Ｓ２０７、Ｓ２０９に加え、工程Ｓ３０１及びＳ３０３を更に備える。工程Ｓ２０１、Ｓ２０３、Ｓ２０５、Ｓ２０７、Ｓ２０９は、既に前の実施例において紹介されたため、ここで繰り返して説明しない。
【００５０】
工程Ｓ２０９を実行した後、続いて、使用者が入眠したかどうかを判断する工程Ｓ３０１を実行する。
【００５１】
例としては、サーバー１２０は、使用者の使用状況によって使用者の不眠度パラメータ及び聞いた所定の音を記録し、不眠度パラメータに対応するパラメータ信号１１４に基づいて使用者が入眠したかどうかを判断する。使用者が入眠していない場合、睡眠補助装置１１０の捕捉モジュール１１１は、再度、使用者の脳波信号１１２を捕捉し、パラメータ信号１１４をサーバー１２０に伝送して、サーバー１２０が使用者の不眠度パラメータの変化及び聞いた所定の音を持続的に記録するようにする。続いて、サーバー１２０は、更に対応するフィードバック信号１１６を電子装置１３０に伝送して、電子装置１３０に、使用者の入眠に最も適している睡眠補助音楽を出力させる。
【００５２】
その後、フィードバック信号１１６を電子装置１３０に伝送して、電子装置１３０がフィードバック信号１１６に対応して所定の音の音量を次第に小さくする工程Ｓ３０３を実行する。
【００５３】
例としては、使用者が睡眠補助装置１１０を着用しながら電子装置１３０の出力している音を聞く場合、睡眠補助装置１１０は、使用者の脳波状態を検出し、パラメータ信号１１４をサーバー１２０に伝送する。サーバー１２０は、前記パラメータ信号１１４に基づいてフィードバック信号１１６を電子装置１３０に伝送する。使用者が睡眠状態になろうとする場合、フィードバック信号１１６は、電子装置１３０に出力する音の音量を次第に低下させる。使用者が寝入った場合、サーバー１２０は、使用者の脳波信号１１２に対応するパラメータ信号１１４に基づいて電子装置１３０に音楽の出力を停止させる。
【００５４】
上記実施例の説明から、本発明の睡眠補助システム及びその取扱方法は、使用者の脳波信号に基づいて使用者の入眠に適している音楽を自動的に選択し、使用者の使用状況を即時に記録して、使用者が順調に入眠することに寄与することができることが分かった。また、本発明の睡眠補助システム及びその取扱方法は、更に使用者の周囲環境の電子装置を調整することができる。使用者が入眠する場合、使用者の脳波信号に基づいて、周囲環境の電子装置からの光源及び／又は音源を次第に少なくし、使用者がより順調に入眠できるようにすることができる。本発明の睡眠補助システムは、異なる状况に好適に用いられるように、規模を調整してもよい。例としては、サーバー１２０は、算出と通信機能を持つ任意の電子装置であってよく、又は電子装置１３０と結合されてもよい。睡眠補助システムの採用した通信プロトコルも、伝送距離と使用者の数によって変わる。使用者の何れも同じ住宅に位置し且つ数に制限がある場合、サーバー１２０は、データの伝送、保存、比較及び他の関連プログラムを実行するパソコン又は適用可能な他の電子装置であってもよく、睡眠補助装置との間で、例えばワイヤレスネットワーク又はブルートゥース通信プロトコルのような短距離の無線通信プロトコルを採用してもよい。遠く離れた数多くの使用者がいる場合、サーバー１２０としては、大量の演算機能を持つ中央サーバーが必要となり、且つ、広範囲の移動通信技術を採用する。使用者が一人しかいない場合、サーバー１２０の算出比較機能は、プロセッサとメモリを有する、対応するソフトウェアプログラムを実行するものに取って代わってもよく、このように、これらの素子は、更に、電子装置１３０又は睡眠補助装置１１０と単一の装置として一体化し、本発明の睡眠補助機能を使用者個人へ提供することができ、伝送モジュール１１５を介してデータ又は信号を遠隔端末装置に伝送し、又は受信する必要がなくなる。音を出力する機能を持つ電子装置又は算出装置には、通常、本発明の睡眠補助システムのアプリケーションプログラムをインストールし、前記各実施例におけるサーバー１２０又は電子装置１３０の機能を実行することができるため、本発明の睡眠補助システムは、睡眠補助装置１１０とアプリケーションプログラムのみを提供し、使用者の従来の電子装置に合わせれば、睡眠補助機能を実行することができる。
【００５５】
本案では、実施例を前述の通り開示したが、これは本案を限定するものではなく、当業者であれば、本発明の精神と領域から逸脱しない限り、多様の変更や修正を加えることができる。従って、本案の保護範囲は、後の特許請求の範囲で指定した内容を基準とする。
【符号の説明】
【００５６】
１００  睡眠補助システム
１１０  睡眠補助装置
１１１  捕捉モジュール
１１２  脳波信号
１１３  処理モジュール
１１４  指数信号
１１５  伝送モジュール
１１６  フィードバック信号
１２０  サーバー
１３０  電子装置
１４０  ディスプレイ装置
１５０  スピーカー装置
２００、３００  取扱方法
Ｓ２０１、Ｓ２０３、Ｓ２０５、Ｓ２０７、Ｓ２０９、Ｓ３０１、Ｓ３０３  工程
【図１Ａ】
2015126869.tif 000005
【図１Ｂ】
2015126869.tif 000006
【図１Ｃ】
2015126869.tif 000007
【図１Ｄ】
2015126869.tif 000008
【図２Ａ】
2015126869.tif 000009
【図３】
2015126869.tif 000010
【図２Ｂ】
2015126869.tif 000011